(57)【要約】【課題】本発明は視覚障害者のバリアを軽減するべく、視覚障害者を考慮したテンキーまたはテンキーを有する電子機器の普及を促すことを目的とする。【解決手段】本発明では、テンキーの「１」のキーと「５」のキーに触覚により確認可能な印を設けることにより、「電話配列」テンキーであるのか、「電卓配列」テンキーなのか、視覚障害者にも判断できるテンキーを提供する。このことにより、「電話配列」なのか「電卓配列」であるのか直感的に判断し難い機器であっても、視覚障害者が自立して使用することのできるバリアフリーなテンキーが実現できる。【選択図】        図１
2004310173.tif 000002
【特許請求の範囲】
【請求項１】
数字を入力するためのテンキーにおいて、「１」キーと「５」キーに印を設けたことを特徴とするテンキー。
【請求項２】
前記「１」キーと「５」キーに設ける印は、触覚によって認識可能な印であることを特徴とする請求項１記載のテンキー。
【請求項３】
前記触覚によって認識可能な印は凸状の形状であることを特徴とする請求項２記載のテンキー。
【請求項４】
前記凸状の印の高さは０．３ｍｍ以上であることを特徴とする請求項３記載のテンキー。
【請求項５】
前記凸状の印はシール等の裏面の粘着材により貼付可能なものであることを特徴とする請求項４記載のテンキー。
【請求項６】
前記凸状の印は単数または複数の凸点であることを特徴とする請求項４または５記載のテンキー。
【請求項７】
前記凸状の印は単数もしくは複数の、線または線で構成される形状であることを特徴とする請求項４または５記載のテンキー。
【請求項８】
前記触覚によって認識可能な印は凸状の形状は、キートップの縁をせり上げた形状であることを特徴とする請求項４記載のテンキー。
【請求項９】
前記触覚によって認識可能な印は、キートップ縁の単数もしくは複数の凹部であることを特徴とする請求項２記載のテンキー。
【請求項１０】
前記「１」キーと「５」キーの印は、キートップ自体の形状であることを特徴とする請求項１記載のテンキー。
【請求項１１】
前記印となるキートップ形状は、キートップの表面の曲率であることを特徴とする請求項１０記載のテンキー。
【請求項１２】
前記キートップの形状は凹面、もしくは凸面であることを特徴とする請求項１０または１１記載のテンキー。
【請求項１３】
前記「１」キーと「５」キーの印は同じ印であることを特徴とする請求項１ないし１２いずれか記載のテンキー。
【請求項１４】
前記「１」キーと「５」キーの印は異なる形態の印であることを特徴とする請求項１ないし１２いずれか記載のテンキー。
【請求項１５】
前記請求項１ないし１４いずれか記載のテンキーを有することを特徴とする電子機器。
【発明の詳細な説明】
【０００１】
【発明の属する技術分野】
本発明は、電卓、パーソナルコンピューターの他、複写機やファックスなどの電子機器へ数値情報を入力する際に用いられるテンキー及び、テンキーを有する電子機器に関するものである。
【０００２】
【従来の技術】
図１６、図１７、図１８、図１９は従来例を示す図である。図１６、１７は従来の「電話配列」テンキー部分を示すもので、６１，６４は「電話配列」テンキー、６２，６５はそれぞれ「５」のキーを示し、図１６の６３は「５」キー上の凸点であり、図１７の６６は「５」キー上の凸状の線である。また、図１８は従来例を示す図で、７０は電子卓上計算機（電卓）、７１は表示部、７２は「電卓配列」テンキー部分、７３は触覚突起付キーボードを示す（例えば、特許文献１参照。）。また、図１９は従来の複写機の操作部分を示し、７４は操作部、７５はタッチパネルおよび操作部、７６は「電話配列」テンキー部、７７はスタートキー、７８はリセットキー、７９はユーザーモードキー、８０は原稿カウント専用キー、８１はクリアキーを示す。
【０００３】
また図２０は一般的な複写機の複写動作フローを示す図であり、複写を行う際には濃度等の条件を入力後に、図１９に示す操作部７４のテンキー７６を使ってコピー部数を設定し、スタートキー７７を押すことを示している。また、図２１は一般的な画像形成装置（複写機）を示し、９１は画像形成装置本体、９２は表示部分、９３はテンキー部分を示す。
【０００４】
図１６、１７に示すとおり従来、電話のテンキー（プッシュボタン）は、ボタンが３行３列で１から９が配置されており、キーボード上部より数えて１行目の左側より右へ１，２，３と配列、さらに２行目の左より右へ４，５，６、さらに３行目の左より右へ７，８，９と配置され、さらに０は３行３列の下方に配置されているテンキーが一般的に用いられている。
【０００５】
また図１８に示すように、電卓やパソコンのキーボード等のテンキーにおいては、電話と同様にボタンが３行３列で１から９が配置されている。そして、電卓やパソコンのキーボードの場合には、キーボード上部より数えて１行目の左側より右へ７，８，９と配列、さらに２行目の左より右へ４，５，６、さらに３行目の左より右へ１，２，３、と配置され、さらに０は３行３列の下方に配置されているテンキーが一般的である。
【０００６】
【特許文献１】
実用新案登録第３０７３３４３号公報
【０００７】
【発明が解決しようとする課題】
数字を入力するという同じ目的を行うのにも関わらず、電話のテンキー配置に対し、電卓やパソコンのキーボードのテンキー配置は、前記の通り異なっている。正常な視覚を持った使用者であれば、視覚によって２つのキー配置を区別することは何の困難もないが、視覚に異常のある弱視者や全盲の使用者の場合には、機器によって配列が異なることに留意し、機器を使用せねばならない。
【０００８】
また、電話や電卓やパソコンなど、テンキー配列が明らかに「電話配列」か「電卓配列」かがはっきりしている場合には、視覚異常者であってもどちらの配列であるかは、比較的容易に判断ができるが、昨今の新しい情報機器等においては、「電話配列」なのか「電卓配列」なのか想像がつきにくい場合も少なくない。例えば、視覚障害者が初めて図２１に示すような複写機を使用する場合、予備知識が無かったとしたら、その複写枚数を設定するテンキー７６が「電話配列」であるか「電卓配列」であるのか、見える人に聞くか、実際に図２０に示すような操作を行いコピーを出力しなければ、知ることは不可能である。
【０００９】
さらに昨今ではテンキーを備えた機器があまたに存在しており、視覚障害者はいちいち機器ごとに「電話配列」なのか「電卓配列」であるのか記憶せねばならない。また新たな機器を導入するごとに、見える人に「電話配列」であるのか「電卓配列」であるのか訊ねる必要があった。
【００１０】
視覚障害者は多くのことを記憶し、その場その場において思い出して生活に生かしている。しかし、便利であるはずの情報機器により、さらに記憶するべきものが増え、ストレスを増す原因となっている。これは、自立生活を望む障害者の障壁を高くしている状況である。
【００１１】
また、図１６，１７に示すとおり、従来よりテンキーの「５」の位置に凸点や凸の線を設けて「ユニバーサルデザイン」「共用品」を謳っている製品が多く存在する。それらはテンキーの中心の位置（「５」のキー）が分かり、頻繁に使用する機器においては便利であるが、「電話配列」であっても「電卓配列」であっても、テンキーの中心位置は「５」のキーであるため、視覚障害者にとって、そのテンキーがどちらの配列に属するテンキーであるのか知るすべはない。
【００１２】
図１８に示す実用新案登録第３０７３３４３号公報においては、「５」のキーの他に「１」のキー、「３」のキー、「７」のキー、「９」のキーに突起を設ける内容であるが、前記の図１６、図１７同様に、そのテンキーが「電話配列」であるのか、「電卓配列」であるのか、特定することは不可能である。
【００１３】
【課題を解決するための手段】
本発明においては、機器に備わっているテンキーが「電卓配列」であるのか「電話配列」容易に判断できるよう、テンキーの「５」だけではなく「１」にも印を設けることを特徴とする。このことにより、視覚障害者であっても容易に「電卓配列」と「電話配列」を識別することが可能となる。
【００１４】
また、前記の「５」と「１」印の具体的な形態としては、凸状の点や線や他の形状でも良いし、他のキーと用意に区別ができるよう、キー自体の形状を変えるなどでもよい。また、キー自体に凸点を形成しても良いし、凸点のあるシールなどを貼付するのでも良い。また「５」と「１」のキーに設ける印は、「５」と「１」で同じものであっても良いし、異なるものでもよい。
【００１５】
以上、本発明を整理して要約すれば以下の構成に集約できる。
【００１６】
（１）数字を入力するためのテンキーにおいて、「１」キーと「５」キーに印を設けたことを特徴とするテンキー。
【００１７】
（２）前記「１」キーと「５」キーに設ける印は、触覚によって認識可能な印であることを特徴とする前記（１）記載のテンキー。
【００１８】
（３）前記触覚によって認識可能な印は凸状の形状であることを特徴とする前記（２）記載のテンキー。
【００１９】
（４）前記凸状の印の高さは０．３ｍｍ以上であることを特徴とする前記（３）記載のテンキー。
【００２０】
（５）前記凸状の印はシール等の裏面の粘着材により貼付可能なものであることを特徴とする前記（４）記載のテンキー。
【００２１】
（６）前記凸状の印は単数または複数の凸点であることを特徴とする前記（４）または（５）記載のテンキー。
【００２２】
（７）前記凸状の印は単数もしくは複数の、線または線で構成される形状であることを特徴とする前記（４）または（５）記載のテンキー。
【００２３】
（８）前記触覚によって認識可能な印は凸状の形状は、キートップの縁をせり上げた形状であることを特徴とする前記（４）記載のテンキー。
【００２４】
（９）前記触覚によって認識可能な印は、キートップ縁の単数もしくは複数の凹部であることを特徴とする前記（２）記載のテンキー。
【００２５】
（１０）前記「１」キーと「５」キーの印は、キートップ自体の形状であることを特徴とする前記（１）記載のテンキー。
【００２６】
（１１）前記印となるキートップ形状は、キートップの表面の曲率であることを特徴とする前記（１０）記載のテンキー。
【００２７】
（１２）前記キートップの形状は凹面、もしくは凸面であることを特徴とする前記（１０）または（１１）記載のテンキー。
【００２８】
（１３）前記「１」キーと「５」キーの印は同じ印であることを特徴とする前記（１）ないし（１２）いずれか記載のテンキー。
【００２９】
（１４）前記「１」キーと「５」キーの印は異なる形態の印であることを特徴とする前記（１）ないし（１２）いずれか記載のテンキー。
【００３０】
（１５）前記（１）ないし（１４）いずれか記載のテンキーを有することを特徴とする電子機器。
【００３１】
【発明の実施の形態】
（実施例１）
図１から図８はそれぞれ本発明の実施例１に関する図である。
【００３２】
図１、図２は本実施例の基本構成を示す図であり、１はテンキー部、２は「１」のキー、３は「１」キー上の１つの凸点、４は「５」のキー、５は「５」のキー上の１つの凸点、６は断面線、７と８は他のテンキー以外のキーである。図２は、図１中の断面線６で「５」のキー４の断面を切った際の断面図を示す。
【００３３】
本実施例では、テンキーの「１」のキーと、「５」のキーにあらかじめ凸点を形成したキーを設けたことを特徴とする。また、凸点３，５の高さを０．３ｍｍ以上とすることにより、触覚で確認しやすくなる。
【００３４】
このことにより、視覚で確認しなくとも、触覚により容易に「電話配列」か「電卓配列」の識別を行うことができる。
【００３５】
以下に本実施例の異なる形態について述べる。
【００３６】
図３、４は本実施例の異なる形態であり、９は「１」のキー、１０は「１」のキー上の凸状の線、１１は「５」のキー、１２は「５」のキー上の１つの凸点を示す。図４は図３中の断面線に沿って、「１」キー９の断面をみた図を示す。上記の基本構成とは「１」のキー上の凸印の形状が異なるが、前記同様に形状が異なる際においても、前記の凸点と同様に、凸の高さは０．３ｍｍ以上とする。
【００３７】
さらに図５においては、「１」キー５４上の凸点は２つの凸点５５とし、「５」のキー１３上の凸点は１つの凸点１４とする。
【００３８】
図６においては、「１」キー１５上の凸印は「＋」形状１６とし、「５」のキー１７上の凸印は線状の形状１８とする。
【００３９】
図７においては、「１」キー１９上の凸印は「＊」形状２０とし、「５」のキー２１上の凸印は凸点２２とする。
【００４０】
図８においては、「１」キー２３上の凸印は横線２４とし、「５」のキー２５上の凸印は縦線２６とする。
【００４１】
このように凸印の形状に関しては、用途やデザイン性を加味した形状にしてもかまわない。
【００４２】
以上述べたように、「１」のキーと「５」のキーを、あらかじめ凸印を設けたキーとすることにより、テンキーの視認性も損なわずに、なおかつ視覚障害者にとっても使用しやすいテンキーが実現できる。
【００４３】
このようなテンキーを、テンキーの配列が「電話配列」であるのか「電卓配列」なのか判断し難い機器、例えば図２１に示すような画像形成装置（複写機）に設ければ、視覚障害者にとっての操作性を上げることが可能となり、視覚障害者が他の人に依存したり、試しにコピーをして紙を無駄にしなくとも、速やかにコピーを行うことができる。
【００４４】
（実施例２）
図９，１０，１１は本実施例に関する図である。
【００４５】
本実施例においては、「１」キー、「５」キーに凸状の印に限らず、凹状の印を設けることを特徴とする。
【００４６】
図９においては、「１」キー２７のキーのキートップの１つの辺を凹状形状２８を形成し、「５」キー２９上には１つの凸点３０が印として形成されている。
【００４７】
図１０においては、「１」キー３１のキーのキートップの２つの辺を凹状形状３２を形成し、「５」キー３３上には凸状の線３４が印として形成されている。
【００４８】
図１１においては、「１」キー３５のキーのキートップの１つの辺に２つのケガキ状の凹状形状３６を形成し、「５」キー３７上には１つの凸点３８が印として形成されている。
【００４９】
このことにより、「１」キーと「５」キーの両方に凸点があるのが煩わしいような機器や、一度「電話配列」であるのか「電卓配列」であるのか確認した後には不要な「１」のキーの印が煩わしい場合においても、配列が判別しやすくかつ使用しやすいテンキーを実現することができる。
【００５０】
（実施例３）
図１２は本実施例に関する図である。
【００５１】
本実施例では、「１」キー３９のキートップの縁をせり上げた形状とし、「５」キー４０上に凸状の線４１を設けた。
【００５２】
このことにより、「電卓配列」であるか「電話配列」であるか判断し難い機器でかつ、多くの人が使用するものに対して配列を強調することで、より認識しやすいテンキーを実現することができる。
【００５３】
（実施例４）
図１３，１４は本実施例に関する図である。
【００５４】
図１３においては、「１」キー４２の形状をＲの凸状とし、「５」キー４３上に線上の凸印４４を設けた。
【００５５】
また図１４においては、「１」キー４５の形状をＲの凹状とし、「５」のキー４６上に１つの凸点４７を設けた。
【００５６】
このことにより、デザインの自由度のある、テンキーが実現できる。
【００５７】
（実施例５）
図１５は本実施例に関する図である。
【００５８】
本実施例では、「１」キー４８上に、１つの凸点５０のあるシール４９を貼付、「５」キー５１上に２つの凸点５３があるシール５２を貼付する。このことにより、キー自体の形状を変えないため、異なる型を用いる必要も無く、コストアップをしなくとも「電話配列」であるのか「電卓配列」であるのか識別しやすいテンキーが実現できる。また、既存の機器に対しても識別しやすくすることが可能である。
【００５９】
【発明の効果】
以上説明したように、本発明によれば、機器に備わっているテンキーが「電卓配列」であるのか「電話配列」であるのか容易に判断できるよう、テンキーの「５」だけではなく「１」にも印を設けることを特徴とする。
【００６０】
このことにより、視覚障害者であっても容易に「電卓配列」か「電話配列」であるか識別できるテンキーを、極めて容易に実現することができ、視覚障害者の自立を促す要因となりえる。また、本発明は視覚障害者のみに特化した対応ではなく、視覚に異常の無い健常者でも従来どおりに遜色なく「バリアフリー」に使用のできる「ユニバーサルデザイン」であるテンキーを実現する。
【図面の簡単な説明】
【図１】第１実施例を示す図
【図２】第１実施例を示す図
【図３】第１実施例の他の形態を示す図
【図４】第１実施例の他の形態を示す図
【図５】第１実施例の他の形態を示す図
【図６】第１実施例の他の形態を示す図
【図７】第１実施例の他の形態を示す図
【図８】第１実施例の他の形態を示す図
【図９】第２実施例を示す図
【図１０】第２実施例のほかの形態を示す図
【図１１】第２実施例のほかの形態を示す図
【図１２】第３実施例を示す図
【図１３】第４実施例を示す図
【図１４】第４実施例のほかの形態を示す図
【図１５】第５実施例を示す図
【図１６】従来例を示す図
【図１７】従来例を示す図
【図１８】従来例を示す図
【図１９】従来例を示す図
【図２０】一般的な画像複写動作フローを示す図
【図２１】一般的な画像形成装置（複写機）を示す図
【符号の説明】
１，６１，６４  テンキー
２，９，１５，１９，２３，２７，３１，３５，３９，４２，４５，４８，５４「１」キー
３，５，１２，１４，２２，３０，３８，４７，５０，６３  １凸点
４，１１，１３，１７，２１，２５，２９，３３，３７，４０，４３，４６，５１，６２，６５  「５」キー
６，９  断面線
７，８  他のキー
１０，１８，２４，２６，３４，４１，４４，６６  凸線
５５，５３  ２凸点
１６  凸「＋」マーク
２０  凸「＊」マーク
２８  １つの凹部
３２  ２つの凹部（キートップの対面端）
３６  ２キリ欠き状の凹部（キートップの同端）
４９，５２  シール
７０  電卓
７１  表示部
７２  テンキー部
７３  触覚突起付キーボード
７４  操作部
７５  タッチパネル及び操作部
７６  テンキー
７７  スタートキー
７８  リセットキー
７９  ユーザーモードキー
８０  原稿カウント専用キー
８１  クリアキー
９１  画像形成装置
９２  表示部
９３  テンキー
【図１】
2004310173.tif 000003
【図２】
2004310173.tif 000004
【図３】
2004310173.tif 000005
【図４】
2004310173.tif 000006
【図５】
2004310173.tif 000007
【図６】
2004310173.tif 000008
【図７】
2004310173.tif 000009
【図８】
2004310173.tif 000010
【図９】
2004310173.tif 000011
【図１０】
2004310173.tif 000012
【図１１】
2004310173.tif 000013
【図１２】
2004310173.tif 000014
【図１３】
2004310173.tif 000015
【図１４】
2004310173.tif 000016
【図１５】
2004310173.tif 000017
【図１６】
2004310173.tif 000018
【図１７】
2004310173.tif 000019
【図１８】
2004310173.tif 000020
【図１９】
2004310173.tif 000021
【図２０】
2004310173.tif 000022
【図２１】
2004310173.tif 000023